(57)【要約】【課題】容器内で発生したガスを排出できるキャップを提案する。【解決手段】容器（１）の口部（１ａ）を密封するキャップを、容器内につながる少なくとも１つの貫通孔（２ａ）を有する頂壁（２）と、この頂壁（２）の縁部に一体連結してねじ若しくはアンダーカット係合にて該頂壁（２）を容器（１）の口部（１ａ）に固定保持する環状壁（３）とを備えたものにて構成する。そして、頂壁（２）の内側面に、容器の底部に向かう刃先を有する穿孔体（４）と、この穿孔体（４）を貫通孔（２ａ）とともに取り囲む隔壁（５）を設け、前記隔壁（５）の先端に、前記穿孔体（４）を隔壁（５）内に格納するとともに容器の圧力上昇に伴う変位にて該穿孔体（４）にて破断される薄肉シート（６）を配設する。【選択図】図１
2006160354.tif 000002
【特許請求の範囲】
【請求項１】
容器の口部を密封保持するキャップであって、
容器内につながる少なくとも１つの貫通孔を有する頂壁と、この頂壁の縁部に一体連結してねじ若しくはアンダーカット係合にて該頂壁を容器の口部に固定保持する環状壁とを備え、
前記頂壁の内側面に、容器の底部に向かう刃先を有する穿孔体と、この穿孔体を貫通孔とともに取り囲む隔壁を設け、
前記隔壁の先端に、前記穿孔体を隔壁内に格納するとともに容器の圧力上昇に伴う変位にて該穿孔体にて破断される薄肉シートを配設してなることを特徴とする容器用キャップ。
【請求項２】
内容物を収納する容器本体と、この容器本体の口部を密封保持するキャップからなる内容物入り容器であって、
前記容器本体に収納する内容物はガスを発生するものであり、
前記キャップは、容器内につながる少なくとも１つの貫通孔を有する頂壁と、この頂壁の縁部に一体連結してねじ若しくはアンダーカット係合にて該頂壁を容器の口部に固定保持する環状壁とを備え、
前記頂壁の内側面に、容器の底部に向かう刃先を有する穿孔体と、この穿孔体を貫通孔とともに取り囲む隔壁を設け、
前記隔壁の先端に、前記穿孔体を隔壁内に格納するとともに容器の圧力上昇に伴う変位にて該穿孔体にて破断される薄肉シートを配設してなる内容物入り容器。
【請求項３】
前記ガスを発生する内容物が、不溶性の粉末を含んだ液体である請求項２記載の内容物入り容器。
【請求項４】
前記ガスを発生する内容物が、毛髪化粧料である請求項２又は３記載の内容物入り容器。
【発明の詳細な説明】
【技術分野】
【０００１】
本発明は、容器用キャップに関するものであり、内圧上昇時に容器の内外を導通させることで、内圧上昇に伴う容器の変形や破損あるいはキャップの脱落等に伴う内容物の飛散を確実に防止しようとするものである。
【背景技術】
【０００２】
種類の異なる内容物を１つの容器に入れて混合して使用に供される毛染剤の如きにおいては、内容物の反応によるガスの発生が不可避であることから、容器内に内容物を残したままキャップを締め込んでおくと内圧の上昇により容器が破損・変形したり、キャップが脱落して内容物が漏洩、飛び散ったりする等の不具合が懸念される。
【０００３】
このため、従来は、容器の口部外周に、上下方向に延びる切欠部を刻設したねじを螺設し、容器肩部の壁面に、ねじキャップの側周壁下端が衝接する上下位置決め部を設け、キャップを締着したとき、肩部の位置決め突起によりキャップの下降位置を規制し、容器口部天面とキャップの頂壁下面との間に隙間を形成し、この隙間を通して容器内のガスを排出するようにしていた（例えば特許文献１参照）。
【特許文献１】特開２００４─９１００１号公報
【０００４】
ところで、容器の口部に切欠部を刻設した従来型の容器は、内容物の混合作業中に容器の内容物が該切欠部に付着することもあって、この場合に目詰まりを起こし容器内で発生するガスを効果的に排出することができないおそれもあり、未だ改善の余地が残されていた。
【発明の開示】
【発明が解決しようとする課題】
【０００５】
本発明の課題は、内圧上昇に伴う容器の破損等を確実に回避できる新規なキャップを提案するところにある。
【課題を解決するための手段】
【０００６】
本発明は、容器の口部を密封保持するキャップであって、
容器内につながる少なくとも１つの貫通孔を有する頂壁と、この頂壁の縁部に一体連結してねじ若しくはアンダーカット係合にて該頂壁を容器の口部に固定保持する環状壁とを備え、
前記頂壁の内側面に、容器の底部に向かう刃先を有する穿孔体と、この穿孔体を貫通孔とともに取り囲む隔壁を設け、
前記隔壁の先端に、前記穿孔体を隔壁内に格納するとともに容器の圧力上昇に伴う変位にて該穿孔体にて破断される薄肉シートを配設してなる、ことを特徴とする容器用キャップである。
【０００７】
また、本発明は、内容物を収納する容器本体と、この容器本体の口部を密封保持するキャップからなる内容物入り容器であって、
前記容器本体に収納する内容物はガスを発生するものであり、
前記キャップは、容器内につながる少なくとも１つの貫通孔を有する頂壁と、この頂壁の縁部に一体連結してねじ若しくはアンダーカット係合にて該頂壁を容器の口部に固定保持する環状壁とを備え、
前記頂壁の内側面に、容器の底部に向かう刃先を有する穿孔体と、この穿孔体を貫通孔とともに取り囲む隔壁を設け、
前記隔壁の先端に、前記穿孔体を隔壁内に格納するとともに容器の圧力上昇に伴う変位にて該穿孔体にて破断される薄肉シートを配設してなる内容物入り容器である。
【０００８】
上記の構成になる内容物入り容器において、前記ガスを発生する内容物は、不溶性の粉末を含んだ液体とすることができ、とくに毛髪化粧料が特に有利に適合する。
【発明の効果】
【０００９】
頂壁の貫通孔は薄肉シートにより閉塞された状態にあるため、容器内は確実に密封されているが、ガスの発生にて容器内の圧力が上昇し薄肉シートが変形して穿孔体に接触、破断させることにより貫通孔を通して該ガスが容器の外へ速やかに排出される。
【発明を実施するための最良の形態】
【００１０】
以下、図面を参照して本発明をより具体的に説明する。
図１は本発明にしたがう容器用キャップとその容器用キャップを装着した内容物入り容器の実施の形態を示した図であり、図２はその要部を拡大して示した図である。
【００１１】
図における１は内容物を収納する容器本体、２はキャップの頂壁である。この頂壁２は容器１の内側につながる少なくとも１個の貫通孔２ａを有している。
【００１２】
また、３は頂壁２の縁部に一体連結してねじ若しくはアンダーカット係合にて該頂壁２を容器本体１の口部１ａに固定保持する環状壁であり、この環状壁３と頂壁２とでキャップの本体部分を構成する。
【００１３】
４は容器１の底部に向かう刃先を有し頂壁２の内面に設けられた穿孔体、５は同じく頂壁２の内面に設けられ穿孔体４を貫通孔２ａとともに取り囲む隔壁、６はシールリップ、そして、７は隔壁５の先端に配設された薄肉シートである。薄肉シート７は隔壁５の内側に穿孔体４及び貫通孔２ａを格納するもので、これにより容器本体１は密封状態に保たれる。
【００１４】
本発明の容器は、ガスの発生が不可避な内容物を収納、保存するのに適した容器であって、とくに内容物として染毛剤を収納した形態で使用される。
【００１５】
染毛剤としては、過酸化水素を含む酸性の第２剤にアルカリ剤である第１剤を投入して混合することにより形成されるいわゆる２剤式のものや２剤式の染毛剤に第３剤として粉末様の剤を入れるもの等が適用される。
【００１６】
かかる構成の容器は、毛染剤等のようなガスの発生しやすい内容物を容器の中に残したままキャップを締めておいても、図３に示すように、内圧上昇に伴い薄肉シート７が変形して穿孔体４によって破断されるので、容器１内のガスは薄肉シート７の当該破断箇所から貫通孔２ａを通して速やかに容器外へと排出される。
【００１７】
薄肉シート７は溶着や接着剤を介して隔壁５の先端に配設することが可能で、ポリエチレンテレフタレートのフィルムとポリエチレンのフィルムを積層した厚さ０.１５ｍｍ程度のシートを用いることができるが、薄肉シート７の材質は適宜変更し得る。なお、本実施例では、前記層構成及び厚さの薄肉シート７を、外径が２２ｍｍになる隔壁５の先端に溶着にて配設した場合について示してある。
【００１８】
薄肉シート７が破断される圧力は、容器の密閉性と耐圧強度を考慮し２９．４〜３４．４Ｐａ程度に設定しておく。
【産業上の利用可能性】
【００１９】
内圧の上昇に起因した破損やキャップの脱落によって内容物が漏洩したり飛び散ることがない容器用キャップ、内容物入り容器が提供できる。
【図面の簡単な説明】
【００２０】
【図１】本発明の実施の形態を示した図である。
【図２】図１に示したキャップの要部拡大図である。
【図３】薄肉シートが破断された状態を示した図である。
【符号の説明】
【００２１】
１  容器
１ａ  口部
２  頂壁
２ａ  貫通孔
３  環状壁
４  穿孔体
５  隔壁
６  リップシール
７  薄肉シート
【図１】
2006160354.tif 000003
【図２】
2006160354.tif 000004
【図３】
2006160354.tif 000005